(57)【要約】【課題】  出願期間中の出願状況をニューエントリーマップ上から確実に把握できて、特許情報の分析作業の効率化を十分に高めることが可能な特許情報分析装置を提供する。【解決手段】  少なくとも入力手段と表示手段を有し、入力手段で入力された検索条件に基づいて出願開始時期と出願終了時期を示す特許マップを表示手段に表示し得る特許情報分析装置であって、特許情報分析装置は、出願開始時期と出願終了時期の表示と共に、出願開始時期と出願終了時期との間の出願期間における出願状況をも同時に表示し得ることを特徴とする。【選択図】図２
2010055623.tif 000002
【特許請求の範囲】
【請求項１】
データベースまたはＣＤ−ＲＯＭ特許公報が保有する特許情報と、
検索条件を入力する入力手段と、
ＣＰＵ、ＲＡＭ、ＲＯＭ及びＩ／Ｏを有する制御装置と
特許情報分析の結果を表示する表示手段と、を備え
前記入力手段からの検索条件の入力により前記制御装置の前記ＲＯＭに記憶されているプログラムに基づいて前記特許情報から抽出され、この抽出された特許情報を前記制御装置のＣＰＵにより、適宜に設定された対象項目について出願開始時期から出願終了時期までと、前記出願開始時期から前記出願終了時期までの間に出願された件数とに集計し、この集計結果を縦軸が前記対象項目とし、横軸が年代とし、かつ出願件数がバーの太さとして表される特許マップを作成し、この特許マップを前記表示手段に表示することを特徴とする特許情報分析装置。
【発明の詳細な説明】
【技術分野】
【０００１】  本発明は、特許情報群の中から所定の検索条件に基づいて抽出された特許情報をニューエントリーマップとして表示し得る特許情報分析装置に関する。
【背景技術】
【０００２】  従来、特許庁から発行されるＣＤ−ＲＯＭ特許公報等の特許情報を分析する場合、所定の検索式等に基づいて対象特許情報を抽出すると共に、この抽出した対象特許情報に基づいて作成された各種の特許マップをディスプレイ等の画面上に表示する特許マップ表示装置が使用されている。この特許マップ表示装置で表示される特許マップのうち、例えばある特定技術分野の出願開始時期と出願終了時期とを図表化したマップとして、ニューエントリーマップが使用されている。【０００３】  このニューエントリーマップは、図４に示すように、縦軸に出願人（Ａ、Ｂ、Ｃ・・）を指定すると共に横軸に出願年（もしくは公開年）を指定し、各出願人毎に、出願開始年と出願終了年に異なる形態の矢印５０、５１を表示させることにより、この両矢印５０、５１間が出願期間であるとして認識できるようになっている。なお、ニューエントリーマップに関する特許文献は存在しないものの、一般的な特許マップに関する特許文献としては、例えば特許文献１に開示のものが知られている。
【先行技術文献】
【特許文献】
【０００４】
【特許文献１】特開２００５−１６５８５９号公報
【発明の概要】
【発明が解決しようとする課題】
【０００５】  しかしながら、このようなニューエントリーマップ１５においては、出願開始年と出願終了年に単に色の異なる矢印５０、５１が表示されるのみであるため、この両矢印５０、５１によってその間の期間が出願期間として把握できるものの、ニューエントリーマップ１５上から例えば出願期間内の出願状況、すなわち出願期間中のどの時期に多く出願されているか等を把握することが困難であり、特許情報の分析作業の効率化を十分に高めることが難しい。【０００６】本発明は、このような事情に鑑みてなされたもので、その目的は、出願期間中の出願状況をニューエントリーマップ上から確実に把握できて、特許情報の分析作業の効率化を十分に高めることが可能な特許情報分析装置を提供することにある。
【課題を解決するための手段】
【０００７】  かかる目的を達成すべく、本発明のうち請求項１に記載の発明は、少なくとも入力手段と表示手段を有し、前記入力手段で入力された検索条件に基づいて出願開始時期と出願終了時期を示す特許マップを前記表示手段に表示し得る特許情報分析装置であって、前記表示手段は、出願開始時期と出願終了時期の表示と共に、出願開始時期と出願終了時期との間の出願期間における出願状況をも同時に表示し得ることを特徴とする。
【発明の効果】
【０００８】  請求項１に記載の発明によれば、表示手段が、出願開始時期と出願終了時期の表示と共に、出願開始時期と出願終了時期との間の出願期間における出願状況をも同時に表示し得るため、出願期間中における出願件数の状況をニューエントリーマップ上から一目でかつ確実に把握できて、特許情報の分析作業の効率化を十分に高めることが可能となる。【０００９】  また、表示手段により出願期間内における出願件数がバーコード方式で表示されるため、バーコードの数や幅で出願件数を簡単に把握できて、特許情報の分析作業の一層の効率化を図ることができる。
【図面の簡単な説明】
【００１０】
【図１】本発明に係わる特許情報分析装置の一実施形態を示すブロック図
【図２】同ニューエントリーマップの表示状態の説明図
【図３】同その要部の説明図
【図４】従来のニューエントリーマップの表示状態の説明図
【発明を実施するための形態】
【００１１】  以下、本発明の実施の形態を図面に基づいて詳細に説明する。
図１〜図３は、本発明に係わる特許マップ表示装置を例えばパソコンを使用して構築した場合の一実施形態を示し、図１がそのブロック図、図２がニューエントリーマップの表示状態の説明図、図３がその要部の説明図である。
【００１２】図１において、特許マップ表示装置１は、ＣＰＵ３、ＲＡＭ４、ＲＯＭ５及びＩ／Ｏ６等がバスライン７を介して接続された制御装置２を有している。そして、この制御装置２のＩ／Ｏ６の入力側には、入力手段としてのキーボード８及びマウス９、ＭＯドライブ等を含むＣＤ−ＲＯＭ等ドライブ１０が接続されると共に、各種のデータベース１１が通信回線１２を介して接続されている。    また、制御装置２のＩ／Ｏ６の出力側には、表示手段としてのＣＲＴ（液晶ディスプレイを含む）からなる表示器１３と、プリンタ１４等が接続されている。
【００１３】  この特許マップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報、あるいは通信回１２を介して得られたデータベース１１からの特許情報が、キーボード８やマウス９で入力された検索項目等の条件に基づいて検索（抽出）される。そして、この抽出された各種特許情報が、制御装置２のＣＰＵ３に読み込まれてデータ集計されて後述する特許マップが作成され、この特許マップが表示器１３に出力されてその画面１３ａに表示されたり、あるいはプリンタ１４で印刷されるようになっている。
【００１４】  図２は、この特許マップ表示装置１で作成された特許マップとしてのニューエントリーマップ１５の具体的な表示状態を示しており、以下、これについて説明する。先ず、ニューエントリーマップ１５の作成・表示にあたっては、前記プログラムに基づき表示器１３上に表示される所定の入力画面によって、ニューエントリーマップ１５を作成する際に必要な、対象とする技術分野（例えばＩＰＣ等の各種分類）、縦軸や横軸の指定項目（検索項目）等の各種条件が入力設定される。
【００１５】  そして、表示器１３の入力画面で所定入力を完了し、同入力画面に設けられた作成表示キー（図示せず）をクリックすると、前記制御装置２によって入力条件（例えば所定のＩＰＣ）に対応した対象特許情報が抽出され、例えば図２に示すようなニューエントリーマップ１５が作成されて、表示器１３の画面１３ａ上に表示される。
【００１６】すなわち、ニューエントリーマップ１５は、縦軸として出願人（Ａ、Ｂ、Ｃ・・）が指定され、横軸が出願年（もしくは公開年等）が指定される。そして、各出願人について、対象特許情報のうち、最初に出願された特許情報の出願年の位置（出願開始時期という）に、図３に示すような白抜菱形の出願開始マーク１６が表示され、最後に出願された特許情報の出願年の位置（出願終了時期という）に、図３に示すような黒塗り菱形の出願終了マーク１７が表示される。また、出願開始マーク１６と出願終了マーク１７が白抜きの棒グラフ１８で接続され、この棒グラフ１８の所定位置（出願年位置）にバー１９が表示される。
【００１７】  このバー１９は、横方向に長い棒グラフと直交するように縦方向に設けられ、１件の出願件数に対して細幅の一つのバー１９ａが割り当てられ、例えば３件の出願がある場合は、３本のバー１９ａを連続させた状態のバー１９ｂで表示される。これにより、出願期間内の出願状況（出願件数）がバーコード式に表示され、バー１９ａ等が密集した部分は出願件数が多い時期であり、バー１９ａがなかったり、飛び飛びの場合は、出願件数が少ない期間を示している。
【００１８】  なお、このニューマトリクスマップ１５において、例えば所定のバー１９ａ位置あるいは出願人自体をクリックした際に、当該部分の特許情報に関する書誌的事項が同一画面上に例えばリストとして表示されるようになっている。また、出願期間中に実用新案の出願がある場合は、この出願のバー１９ａの色が特許出願のバー１９ａと異なる色として表示されるようになっている。
【００１９】  このように、上記実施形態の特許マップ表示装置１によれば、表示器１３の画面１３ａ上に表示されたニューエントリーマップ１５に、出願開始時期と出願終了時期を示すマーク１６、１７が表示されると共に、出願開始時期と出願終了時期との間の出願期間における出願件数が同時に表示されるため、出願期間中における出願件数の状況をニューエントリーマップ１５上から一目でかつ確実に把握できて、特許情報の分析作業の効率化を十分に高めることが可能となる。
【００２０】  特に、出願期間内における出願件数がバーコード方式で表示されることから、バー１９ａの数や幅で出願件数を簡単に把握することができて、特許情報の分析作業の一層の効率化を図ることができる。また、特許出願と実用新案によってバー１９ａの色を異ならせることにより、これらの把握を一目で行うことができると共に、バー１９ａの所定位置や出願人等をクリックすることにより、当該部分に係わる特許情報の書誌的事項がリストとして表示されることから、これらを総合的に利用して特許情報の一層高精度な分析作業を行うことができる。
【００２１】  また、出願開始マーク１６と出願終了マーク１７が棒グラフ１８で接続されているため、この棒グラフ１８で出願期間を把握でき、従来に比較して見易いニューエントリーマップ１５を表示させることができる。さらに、特許マップ表示装置１をパソコンを利用して構築できるため、予めパソコンにプログラムを組み込みことで、誰でも画面１３ａ上の表示に従い簡単に操作できて、例えば現在公開されているデータベース１１を利用した特許情報の分析を、コスト安価に行うことが可能となる。
【００２２】  なお、上記実施形態においては、ニューエントリーマップ１５の出願期間内の出願件数をバー１９ａ等で表示したが、例えば、出願年毎に数字で表示したり、短期間に出願件数が集中している部分のみ数字表示する等、バー１９ａや数字、或いは他の適宜のマーク等を使用することもできる。また、出願開始時期と出願終了時期の表示形態も、図示した菱形マークに限らず、図４の従来と同様の矢印５０、５１を使用しても良いし、他の適宜の表示を使用する等、本発明に係わる各発明の要旨を逸脱しない範囲において、適宜に変更することができる。
【００２３】  本発明は、パソコンを使用して構築した表示装置に限らず、各種端末機を使用した表示装置にも適用できる。
【符号の説明】
【００２４】  １：特許情報分析装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：データベース
１３：表示器
１３ａ：画面
１５：ニューエントリーマップ
１６：出願開始マーク
１７：出願終了マーク
１８：棒グラフ
１９、１９ａ、１９ｂ：バー
【図１】
2010055623.tif 000003
【図２】
2010055623.tif 000004
【図３】
2010055623.tif 000005
【図４】
2010055623.tif 000006